(57)【特許請求の範囲】
【請求項１】
容器本体と、この容器本体を閉塞する蓋体とを備え、容器本体には粉状化粧料を収容する収容凹部が設けられ、この収容凹部の上部開口が網体によって覆われている化粧用コンパクト容器において、
前記蓋体の内面であって閉蓋時に前記網体に重ね合わされる部位には、閉蓋時に網体の目に差し込まれて目を閉ぐ起毛が取り付けられていることを特徴とする化粧用コンパクト容器。
【請求項２】
前記容器本体は内部が前記収容凹部になっている中皿を備え、中皿は前記網体の外周縁を包囲する鍔部を有し、前記起毛は閉蓋時に網体及び鍔部に重ね合わされる範囲に取り付けられており、閉蓋時に鍔部に重ねられた起毛が該鍔部を圧接することを特徴とする請求項１に記載の化粧用コンパクト容器。
【請求項３】
前記容器本体は内部が前記収容凹部になっている中皿を備え、中皿はその開口側外周縁に前記網体を包囲する鍔部を有し、前記起毛は閉蓋時に網体に重ね合わされる範囲に取り付けられており、前記蓋体には閉蓋時に鍔部に圧接する環状パッキンが取り付けられていることを特徴とする請求項１に記載の化粧用コンパクト容器。
【請求項４】
前記蓋体の一端部と前記容器本体の一端部が回動可能に連結されていて、この連結部を回転中心にして蓋体が容器本体に対して接近離反する方向に回動可能であることを特徴とする請求項１から３のいずれかに記載の化粧用コンパクト容器。
【発明の詳細な説明】
【０００１】
【発明の属する技術分野】
本発明は粉状化粧料を収容する化粧用コンパクト容器に関するものである。
【０００２】
【従来の技術】
この種の化粧用コンパクト容器には、容器本体に固定した中皿に粉状化粧料が収容され、この中皿の上部開口が網体で塞がれていて、使用に際し網体の上をパフで押さえることにより粉状化粧料を網体を通してパフに付着させるようにしたものがある。
【０００３】
【発明が解決しようとする課題】
このような化粧用コンパクト容器では、容器本体に蓋をして携帯している時に粉状化粧料が網体を通過してしまい、蓋を開いた時にその粉状化粧料が外にこぼれて周囲を汚す問題があった。
【０００４】
又、閉蓋時に粉状化粧料が網体を通らないようにするために、網体の上にパフを載置して網体の目を塞ぎ、蓋を閉めることができるようにした構造のものもある。しかしながら、このような構造にすると、コンパクト容器の高さが高くなり、嵩ばって扱いにくいという問題が生じる。
【０００５】
本発明はこのような従来の技術の問題点に鑑みてなされたものであり、粉状化粧料の漏出を防止できる、薄型の化粧料コンパクト容器を提供することを目的とする。
【０００６】
【課題を解決するための手段】
本発明は前記課題を解決するために、以下の手段を採用した。
本発明は、容器本体と、この容器本体を閉塞する蓋体とを備え、容器本体には粉状化粧料を収容する収容凹部が設けられ、この収容凹部の上部開口が網体によって覆われている化粧用コンパクト容器において、前記蓋体の内面であって閉蓋時に前記網体に重ね合わされる部位には、閉蓋時に網体の目に差し込まれて目を閉ぐ起毛が取り付けられていることを特徴とする化粧用コンパクト容器である（請求項１に対応）。
【０００７】
この化粧用コンパクト容器によれば、蓋をすると網体の目が起毛によって閉ざされるので、閉蓋中は粉状化粧料が網体を通過することがない。網体と蓋体との間には起毛が存在するだけであるので、化粧用コンパクト容器を薄くできる。
【０００８】
又、本発明の化粧用コンパクト容器は、前記構成を備えたことを前提として、以下のように構成することも可能である。
即ち、前記容器本体は内部が前記収容凹部になっている中皿を備え、中皿は前記網体の外周縁を包囲する鍔部を有し、前記起毛は閉蓋時に網体及び鍔部に重ね合わされる範囲に取り付けられており、閉蓋時に鍔部に重ねられた起毛が該鍔部を圧接する（請求項２に対応）。
【０００９】
このようにすると、閉蓋時には網体の目が起毛によって閉ざされるだけでなく、網体の周囲の鍔部にも起毛が圧接するので、粉状化粧料の漏出通路を完全に遮断することができる。
【００１０】
あるいは、前記容器本体は内部が前記収容凹部になっている中皿を備え、中皿はその開口側外周縁に前記網体を包囲する鍔部を有し、前記起毛は閉蓋時に網体に重ね合わされる範囲に取り付けられており、前記蓋体には閉蓋時に鍔部に圧接する環状パッキンを取り付ける（請求項３に対応）。
【００１１】
このようにすると、閉蓋時には網体の目が起毛によって閉ざされるだけでなく、網体の周囲の鍔部に環状パッキンが圧接してシールするので、粉状化粧料の漏出通路を完全に遮断することができる。
【００１２】
更に、前記蓋体の一端部と前記容器本体の一端部を回動可能に連結し、この連結部を回転中心にして蓋体を容器本体に対して接近離反する方向に回動可能にしてもよい（請求項４に対応）。
【００１３】
【発明の実施の形態】
以下、本発明の化粧用コンパクト容器（以下、コンパクト容器と略称する）の実施の形態を図１から図１０の図面に基いて説明する。
【００１４】
〔第１の実施の形態〕
本発明の第１の実施の形態のコンパクト容器を図１から図６の図面に基づいて説明する。コンパクト容器は容器本体１０と蓋体３０とを備えている。
【００１５】
図１はコンパクト容器の要部の縦断面図であり、図２は容器本体１０の平面図であり、図３は蓋体３０の平面図である。又、図４から図６は閉蓋時における容器本体と蓋体の縦断面図であり、図４は図２のＡ−Ａに対応する断面図、図５は図２のＢ−Ｂに対応する断面図、図６は図２のＣ−Ｃに対応する断面図である。
【００１６】
容器本体１０及び蓋体３０は上から見ると細長い円形をなしている。容器本体１０は、外枠１１と中枠１２と中皿２０とを備え、外枠１１の上縁に固定された中枠１２には、円形の中皿収容部１３とパフ収容部１４が設けられている。
【００１７】
外枠１１の後端中央と蓋体３０の後端中央は支軸５０によって連結されており、この支軸５０を中心にして蓋体３０が容器本体１０に対して接近離反する方向に回動可能にされている。
【００１８】
外枠１１の前端中央には開放操作片１５が取り付けられており、蓋体３０を閉じると、この開放操作片１５に設けられた係止部１６と蓋体３０の前端中央に設けられた係止部３１とが係合して蓋体３０を閉状態に保持するようになっている。そして、開放操作片１５を板ばね１７の弾性に抗して押し込むと、前記係止部１６，３１の係合が解除され蓋体３０を開けることができるようになっている。
【００１９】
中枠１２の中皿収容部１３の内部には中皿２０が配されている。中皿２０は、上部を開口させて内部が粉状化粧料を収容するための収容凹部２１になっている皿部２２と、皿部２２の上部外縁に固定されたリング２３と、リング２３に固定された環状の鍔部２４とを備えており、鍔部２４の上面は平坦面にされていて、鍔部２４には皿部２２の上部開口を塞ぐ網体２５が取り付けられている。
【００２０】
網体２５は収容凹部２１に収容された粉状化粧料を僅かに通過させるだけの大きさの目を備えており、網体２５の上にパフ１００をこすり付けると、パフ１００に粉状化粧料を付着せしめることができるようになっている。
【００２１】
中皿２０は皿部２２の底面を外枠１１の内底面に接合して外枠１１に固定されている。中枠１２のパフ収容部１４の内側にはパフ１００が収納可能になっている。
【００２２】
一方、蓋体３０の内面には、閉蓋時に中皿収容部１３に重なり合う部位に起毛３２が起立して接合されており、閉蓋時にパフ収容部１４に重なり合う部位に鏡３３が固定されている。
【００２３】
起毛３２は、鍔部２４と網体２５とを覆う範囲に設けられており、その全範囲において起毛３２の長さが同寸法になっていて、全ての起毛３２の先端がほぼ面一に位置している。
【００２４】
この蓋体３０を閉じると、網体２５に対応する部位に設けられた起毛３２はその先端を網体２５の目に差し込んで網体２５の目を閉ざす。一方、鍔部２４に対応する部位に設けられた起毛３２は、先端を若干曲げるようにして鍔部２４に圧接する。その結果、蓋体３０の閉蓋時には、粉状化粧料の漏出通路が完全に遮断される。
【００２５】
したがって、閉蓋して携帯した時にも、粉状化粧料が網体２５を通過することがなく、鍔部２４の外にこぼれることもない。そして、この後で蓋体３０を開けた時にも粉状化粧料がこぼれることがなく、周囲を粉状化粧料で汚すこともない。
【００２６】
又、網体２５と蓋体３０との間には起毛３２が存在するだけであるので、コンパクト容器を薄型にすることができる。
【００２７】
〔第２の実施の形態〕
図７及び図８は本発明のコンパクト容器の第２の実施の形態を示す図であり、図７は第１の実施の形態における図４に相当する断面図、図８は第１の実施の形態における図１に相当する要部拡大断面図である。
【００２８】
第２の実施の形態が第１の実施の形態と相違する点について以下に説明する。第２の実施の形態では、蓋体３０の内面において鍔部２４に対応する部分に環状の凹部３４が形成されている。そして、網体２５に対応する部位に設けられた起毛３２ａと凹部３４に設けられた起毛３２ｂは同じ長さを有しており、したがって、起毛３２ａの先端と起毛３２ｂの先端では段差が生じている。
【００２９】
その他の構成については第１の実施の形態と同様であるので、図中の同一態様部分に同一符号を付してその説明は省略する。
【００３０】
この第２の実施の形態においては、蓋体３０を閉じると、起毛３２ａはその先端を網体２５の目に差し込んで目を閉ざし、起毛３２ｂはその先端を鍔部２４に圧接する。その結果、蓋体３０の閉蓋時には、粉状化粧料の漏出通路が完全に遮断される。
【００３１】
第２の実施の形態の場合にも、閉蓋して携帯した時に、粉状化粧料が網体２５を通過することがなく、鍔部２４の外にこぼれることもなく、又、コンパクト容器を薄型にすることができる。
【００３２】
〔第３の実施の形態〕
図９及び図１０は本発明のコンパクト容器の第３の実施の形態を示す図であり、図９は第１の実施の形態における図４に相当する断面図、図１０は第１の実施の形態における図１に相当する要部拡大断面図である。
【００３３】
第３の実施の形態が第１の実施の形態と相違する点について以下に説明する。第３の実施の形態では、蓋体３０の内面において鍔部２４に対応する部分に環状の凹部３５が形成されている。そして、この凹部３５にはエラストマー等の弾性材からなる環状のパッキン３６が取り付けられている。又、第３の実施の形態では、起毛３２が網体２５に対応する部位にのみ設けられている。
【００３４】
その他の構成については第１の実施の形態と同様であるので、図中の同一態様部分に同一符号を付してその説明は省略する。
【００３５】
この第３の実施の形態においては、蓋体３０を閉じると、起毛３２がその先端を網体２５の目に差し込んで目を閉ざし、パッキン３５が鍔部２４に圧接してシールする。その結果、蓋体３０の閉蓋時には、粉状化粧料の漏出通路が完全に遮断される。
【００３６】
第３の実施の形態の場合にも、閉蓋して携帯した時に、粉状化粧料が網体２５を通過することがなく、鍔部２４の外にこぼれることもなく、又、コンパクト容器を薄型にすることができる。
【００３７】
【発明の効果】
以上説明したように、本発明によれば、蓋体を閉じると、蓋体に設けた起毛が容器本体の収容凹部を覆う網体の目に差し込まれて網体を閉塞するので、粉状化粧料が網体を通過することがなく、蓋体を開けた時に周りを粉状化粧料で汚すことがないという優れた効果が奏される。
【００３８】
又、化粧用コンパクト容器を薄型にできるという効果もある。
【図面の簡単な説明】
【図１】  本発明の化粧用コンパクト容器の第１の実施の形態における要部拡大断面図である。
【図２】  本発明の化粧用コンパクト容器の第１の実施の形態における容器本体の平面図である。
【図３】  本発明の化粧用コンパクト容器の第１の実施の形態における蓋体の平面図である。
【図４】  閉蓋時における容器本体と蓋体の縦断面図であり、図２のＡ−Ａに対応する断面図である。
【図５】  閉蓋時における容器本体と蓋体の縦断面図であり、図２のＢ−Ｂに対応する断面図である。
【図６】  閉蓋時における容器本体と蓋体の縦断面図であり、図２のＣ−Ｃに対応する断面図である。
【図７】  本発明の化粧用コンパクト容器の第２の実施の形態における縦断面図であり、第１の実施の形態の図４に対応する断面図である。
【図８】  本発明の化粧用コンパクト容器の第２の実施の形態における要部拡大断面図である。
【図９】  本発明の化粧用コンパクト容器の第３の実施の形態における縦断面図であり、第１の実施の形態の図４に対応する断面図である。
【図１０】  本発明の化粧用コンパクト容器の第３の実施の形態における要部拡大断面図である。
【符号の説明】
１０  容器本体
２０  中皿
２１  収容凹部
２４  鍔部
２５  網体
３０  蓋体
３２  起毛
３２ａ，ｂ  起毛
３６  環状パッキン
【図１】
0003761934.tif 000002
【図２】
0003761934.tif 000003
【図３】
0003761934.tif 000004
【図４】
0003761934.tif 000005
【図５】
0003761934.tif 000006
【図６】
0003761934.tif 000007
【図７】
0003761934.tif 000008
【図８】
0003761934.tif 000009
【図９】
0003761934.tif 000010
【図１０】
0003761934.tif 000011